(57)【要約】【課題】信頼性が高く、優れた表示特性を発揮することのできる表示シート、それを備えた表示装置および信頼性が高い電子機器を提供すること。【解決手段】表示装置２０は、表示面１２１側に設けられた基板１２と、基板１２に対向配置された対向基板１１と、基板１２と対向基板１１との間に設けられ、正または負に帯電する少なくとも１種の粒子を分散媒に分散してなる分散液１００が充填された表示層４００と、表示層４００内に設けられ、表示層４００の平面視にて、表示層４００を複数の領域に分割する隔壁部材６とを有している。また、隔壁部材６の高さをＨとし、前記粒子の平均粒子径をＲとしたとき、基板１２と対向基板１１の離間距離は、（Ｈ＋Ｒ）以上である。【選択図】図１
2012093385.tif 000002
【特許請求の範囲】
【請求項１】
表示面側に設けられた第１基板と、
前記第１基板に対向配置された第２基板と、
前記第１基板と前記第２基板との間に設けられ、正または負に帯電する少なくとも１種の粒子を分散媒に分散してなる分散液が充填された表示層と、
前記表示層内に設けられ、前記表示層の平面視にて、前記表示層を複数の領域に分割する隔壁部材とを有し、
前記隔壁部材の高さをＨとし、前記粒子の平均粒子径をＲとしたとき、前記第１基板と前記第２基板の離間距離は、（Ｈ＋Ｒ）以上であることを特徴とする表示シート。
【請求項２】
前記第１基板と前記第２基板の離間距離は、（Ｈ＋１０Ｒ）以下である請求項１に記載の表示シート。
【請求項３】
前記隔壁部材は、前記分散媒中に浮遊している請求項１または２に記載の表示シート。
【請求項４】
前記隔壁部材と前記第１基板との間には、前記隔壁部材と前記第１基板との離間状態を維持するスペーサーが配置されている請求項３に記載の表示シート。
【請求項５】
前記隔壁部材は、前記表示層中に固定的に設けられている請求項１または２に記載の表示シート。
【請求項６】
前記隔壁部材は、前記第２基板と接触して設けられている請求項１ないし５のいずれかに記載の表示シート。
【請求項７】
前記複数の領域の各々の前記第１基板側における横断面積は、前記第２基板から前記第１基板に向けて漸増している請求項１ないし６のいずれかに記載の表示シート。
【請求項８】
前記隔壁部材は、第１隔壁部材と、前記第１隔壁部材よりも前記第１基板側に設けられた第２隔壁部材とを有し、
前記第２隔壁部材によって分割された領域は、前記第１隔壁部材によって分割された領域の横断面積よりも小さい請求項１ないし７のいずれかに記載の表示シート。
【請求項９】
前記分散液には、正または負に帯電する第１粒子と、前記第１粒子と反対の極に帯電する第２粒子とが含まれており、
前記第１粒子と前記第２粒子の平均粒径は、ほぼ等しい請求項１ないし８のいずれかに記載の表示シート。
【請求項１０】
請求項１ないし９のいずれかに記載の表示シートを備えることを特徴とする表示装置。
【請求項１１】
請求項１０に記載の表示装置を備えることを特徴とする電子機器。
【発明の詳細な説明】
【技術分野】
【０００１】
本発明は、表示シート、表示装置および電子機器に関するものである。
【背景技術】
【０００２】
例えば、電子ペーパーの画像表示部を構成するものとして、粒子の電気泳動を利用した電気泳動ディスプレイが知られている（例えば、特許文献１参照）。電気泳動ディスプレイは、優れた可搬性および省電力性を有しており、電子ペーパーの画像表示部として特に適している。
電気泳動ディスプレイは、対向配置された一対の電極と、これらの間に設けられた表示層とを有しており、表示層には、例えば正に帯電する白色粒子と、負に帯電する黒色粒子とを液相分散媒に分散してなる分散液が充填されている。このような電気泳動ディスプレイは、一対の電極間に電圧を印加し、白色粒子および黒色粒子を所望の方向へ泳動させることにより所望の画像を表示するように構成されている。
【０００３】
ここで、表示層の構成は、大きく分けて、特許文献１のように隔壁によって表示層を複数のセルに分割し、各セルに分散液を充填する「隔壁型」と、特許文献２のように分散液が封入されたマイクロカプセルを複数配置しバインダによって固定する「マイクロカプセル型」と、特許文献３のように表示層を１つの空間として（すなわち、隔壁等により分割せず）その空間内に分散液を充填する「液晶型」とに分類される。
【０００４】
しかしながら、「隔壁型」では、隔壁によって表示面内の有効表示領域（表示色を変更することができる領域）が減少し、表示特性が低下する問題がある。また、「マイクロカプセル型」では、隣り合うマイクロカプセル間に隙間が生じることにより表示面内の有効表示領域が減少し表示特性が低下したり、一対の電極間に電圧を印加する際にバインダによってリーク電流が発生したりすることで表示特性が低下する問題がある。また、「液晶型」では、表示面内のほぼ全域を有効表示領域として利用できるが、例えば、ディスプレイを本のように立てた場合に、白色粒子および黒色粒子が自重によって鉛直方向下側に移動（沈降）し、表示画像を維持することができず、信頼性が低下する問題がある。
【先行技術文献】
【特許文献】
【０００５】
【特許文献１】特開２０１０−４４１１４号公報
【特許文献２】特開２００３−１４０２０２号公報
【特許文献３】特表平８−５１０７９０号公報
【発明の概要】
【発明が解決しようとする課題】
【０００６】
本発明の目的は、信頼性が高く、優れた表示特性を発揮することのできる表示シート、それを備えた表示装置および信頼性が高い電子機器を提供することにある。
【課題を解決するための手段】
【０００７】
このような目的は、下記の本発明により達成される。
本発明の表示シートは、表示面側に設けられた第１基板と、
前記第１基板に対向配置された第２基板と、
前記第１基板と前記第２基板との間に設けられ、正または負に帯電する少なくとも１種の粒子を分散媒に分散してなる分散液が充填された表示層と、
前記表示層内に設けられ、前記表示層の平面視にて、前記表示層を複数の領域に分割する隔壁部材とを有し、
前記隔壁部材の高さをＨとし、前記粒子の平均粒子径をＲとしたとき、前記第１基板と前記第２基板の離間距離は、（Ｈ＋Ｒ）以上であることを特徴とする。
これにより、信頼性が高く、優れた表示特性を発揮することのできる表示シートを提供することができる。
【０００８】
本発明の表示シートでは、前記第１基板と前記第２基板の離間距離は、（Ｈ＋１０Ｒ）以下であることが好ましい。
これにより、表示シートの信頼性および表示特性がより向上する。
本発明の表示シートでは、前記隔壁部材は、前記分散媒中に浮遊していることが好ましい。
これにより、隔壁部材と第２基板との間にも隙間を形成することができる。これにより、装置の利便性が向上する。
【０００９】
本発明の表示シートでは、前記隔壁部材と前記第１基板との間には、前記隔壁部材と前記第１基板との離間状態を維持するスペーサーが配置されていることが好ましい。
これにより、隔壁部材と第１基板との間に、より確実に、粒子を入り込ませることができる。
本発明の表示シートでは、前記隔壁部材は、前記表示層中に固定的に設けられていることが好ましい。
これにより、隔壁部材が第１基板から所定距離離間した状態を維持することができる。
【００１０】
本発明の表示シートでは、前記隔壁部材は、前記第２基板と接触して設けられていることが好ましい。
これにより、表示シートを立てたときの、第２基板側に集まった粒子の鉛直方向下側への移動を防止することができる。
本発明の表示シートでは、前記複数の領域の各々の前記第１基板側における横断面積は、前記第２基板から前記第１基板に向けて漸増していることが好ましい。
これにより、隔壁部材と第１基板との間に粒子がより入り込み易くなる。
【００１１】
本発明の表示シートでは、前記隔壁部材は、第１隔壁部材と、前記第１隔壁部材よりも前記第１基板側に設けられた第２隔壁部材とを有し、
前記第２隔壁部材によって分割された領域は、前記第１隔壁部材によって分割された領域の横断面積よりも小さいことが好ましい。
これにより、粒子の泳動を阻害せずに、表示シートを立てたときの粒子の沈降をより効果的に防止または抑制することができる。
【００１２】
本発明の表示シートでは、前記分散液には、正または負に帯電する第１粒子と、前記第１粒子と反対の極に帯電する第２粒子とが含まれており、
前記第１粒子と前記第２粒子の平均粒径は、ほぼ等しいことが好ましい。
これにより、第１粒子と第２粒子とで同様の効果を発揮することができる。
本発明の表示装置は、本発明の表示シートを備えることを特徴とする。
これにより、信頼性の高い表示装置が得られる。
本発明の電子機器は、本発明の表示装置を備えることを特徴とする。
これにより、信頼性の高い電子機器が得られる。
【図面の簡単な説明】
【００１３】
【図１】本発明の表示装置の第１実施形態を示す断面図である。
【図２】従来の表示装置の問題点を示す図である。
【図３】従来の表示装置の問題点を示す図である。
【図４】図１に示す表示装置の平面図である。
【図５】図１に示す表示装置の駆動と効果を説明する断面図である。
【図６】図１に示す表示装置の駆動と効果を説明する断面図である。
【図７】本発明の表示装置の第２実施形態を示す部分拡大断面図である。
【図８】本発明の表示装置の第３実施形態を示す部分拡大断面図である。
【図９】本発明の表示装置の第４実施形態を示す部分拡大断面図である。
【図１０】本発明の表示装置の第５実施形態を示す部分拡大断面図である。
【図１１】図１０に示す表示装置の平面図である。
【図１２】本発明の表示装置の第６実施形態を示す概略斜視図である。
【図１３】図１２に示す表示シートの断面図である。
【図１４】本発明の電子機器を電子ペーパーに適用した場合の実施形態を示す斜視図である。
【図１５】本発明の電子機器をディスプレイに適用した場合の実施形態を示す図である。
【発明を実施するための形態】
【００１４】
以下、本発明の表示シート、表示装置および電子機器を添付図面に示す好適な実施形態に基づいて詳細に説明する。
１．表示装置
まず、本発明の表示シートを組み込んだ表示装置について説明する。
＜第１実施形態＞
図１は、本発明の表示装置の第１実施形態を示す断面図、図２および図３は、従来の表示装置の問題点を示す図、図４は、図１に示す表示装置の平面図、図５および図６は、それぞれ、図１に示す表示装置の駆動と効果を説明する断面図である。なお、以下では、説明の都合上、図１〜図３、図５および図６中の上側を「上」、下側を「下」として説明を行う。
【００１５】
図１に示す表示装置（本発明の表示装置）２０は、粒子の泳動を利用して所望の画像を表示する電気泳動表示装置である。この表示装置２０は、表示シート（フロントプレーン）２１と、回路基板（バックプレーン）２２とを有している。
図１に示すように、表示シート２１は、平板状の基部２と基部２の下面に設けられた第２の電極４とを備える基板（第１基板）１２と、基板１２上に設けられ、分散液１００が充填された表示層４００とを有している。このような表示シート２１では、基板１２の上面が表示面１２１を構成している。なお、以下では、表示面１２１とは、表示装置２０の平面視にて、基板１２の上面の表示層４００と重なる領域を言い、それ以外の領域（例えば後述する封止部９と重なる領域）は除くものとする。
【００１６】
一方、回路基板２２は、平板状の基部１と基部１の上面に設けられた複数の第１の電極３とを備える対向基板１１と、この対向基板１１に設けられた図示しない回路とを有している。回路は、例えば、マトリックス状に配列されたＴＦＴ（スイッチング素子）と、ＴＦＴに対応して形成されたゲート線およびデータ線と、ゲート線に所望の電圧を印加するゲートドライバーと、データ線に所望の電圧を印加するデータドライバーと、ゲートドライバーとデータドライバーの駆動を制御する制御部とを有している。
このような表示装置２０では、対向基板１１が表示シート２１の第２基板を兼ねている。
【００１７】
以下、各部の構成について順次説明する。
基部１および基部２は、それぞれ、シート状（平板状）の部材で構成され、これらの間に配置される各部材を支持および保護する機能を有する。各基部１、２は、それぞれ、可撓性を有するもの硬質なもののいずれであってもよいが、可撓性を有するものであるのが好ましい。可撓性を有する基部１、２を用いることにより、可撓性を有する表示装置２０、すなわち、例えば電子ペーパーを構築する上で有用な表示装置２０を得ることができる。
【００１８】
各基部（基材層）１、２を可撓性を有するものとする場合、その構成材料としては、それぞれ、例えば、ＰＥＴ（ポリエチレンテレフタレート）、ＰＥＮ（ポリエチレンナフタレート）等のポリエステル、ポリエチレン等のポリオレフィン、変性ポリオレフィン、ポリアミド、熱可塑性ポリイミド、ポリエーテル、ポリエーテルエーテルケトン、ポリウレタン系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
【００１９】
このような基部１、２の平均厚さは、それぞれ、構成材料、用途等により適宜設定され、特に限定されないが、可撓性を有するものとする場合、２０μｍ以上５００μｍ以下程度であるのが好ましく、２５μｍ以上２５０μｍ以下程度であるのがより好ましい。これにより、表示装置２０の柔軟性と強度との調和を図りつつ、表示装置２０の小型化（特に薄型化）を図ることができる。
【００２０】
これらの基部１、２の表示層４００側の面、すなわち、基部１の上面および基部２の下面に、それぞれ、層状（膜状）をなす第１の電極３および第２の電極４が設けられている。本実施形態では、第２の電極４が共通電極とされ、第１の電極３がマトリックス状（行列状）に分割された個別電極（ＴＦＴに接続された画素電極）とされている。このような表示装置２０では、１つの第１の電極３と第２の電極４とが重なる領域が１画素Ｐｉｘを構成する。
【００２１】
電極３、４の構成材料としては、それぞれ、実質的に導電性を有するものであれば特に限定されず、例えば、金、銀、銅、アルミニウムまたはこれらを含む合金等の金属材料、カーボンブラック等の炭素系材料、ポリアセチレン、ポリフルオレンまたはこれらの誘導体等の電子導電性高分子材料、ポリビニルアルコール、ポリカーボネート等のマトリックス樹脂中に、ＮａＣｌ、Ｃｕ（ＣＦ３ＳＯ３）２等のイオン性物質を分散させたイオン導電性高分子材料、インジウム酸化物（ＩＯ）、インジウムスズ酸化物（ＩＴＯ）、フッ素ドープ酸化スズ（ＦＴＯ）等の導電性酸化物材料のような各種導電性材料が挙げられ、これらのうちの１種または２種以上を組み合わせて用いることができる。
【００２２】
また、電極３、４の平均厚さは、それぞれ、構成材料、用途等により適宜設定され、特に限定されないが、０．０１μｍ以上、１０μｍ以下程度であるのが好ましく、０．０２μｍ以上、５μｍ以下程度であるのがより好ましい。
ここで、各基部１、２および各電極３、４のうち、表示面１２１側に配置される基部および電極は、それぞれ、光透過性を有するもの、すなわち、実質的に透明（無色透明、有色透明または半透明）とされる。本実施形態では、基板１２の上面が表示面１２１を構成するため、少なくとも基部２および第２の電極４は、実質的に透明とされる。これにより、分散液１００中における白色粒子Ａおよび黒色粒子Ｂの状態、すなわち、表示装置２０に表示された情報（画像）を表示面１２１側から目視により容易に認識することができる。
【００２３】
基板１２と対向基板１１との間には、それらの縁部に沿って封止部９が設けられている。この封止部９により、表示層４００が気密的に封止されている。これにより、表示装置２０内への水分の浸入を防止して、表示装置２０の表示性能の劣化をより確実に防止することができる。
封止部９の構成材料としては、特に限定されず、例えば、アクリル系樹脂、ウレタン系樹脂、オレフィン系樹脂のような熱可塑性樹脂、エポキシ系樹脂、メラミン系樹脂、フェノール系樹脂のような熱硬化性樹脂等の各種樹脂材料等が挙げられ、これらのうちの１種または２種以上を組み合わせて用いることができる。
【００２４】
表示層４００は、分散液１００で満たされている。さらに、表示層４００内には、隔壁部材６が設けられている。
分散液１００は、互いに反対の極に帯電した白色粒子（第１粒子）Ａおよび黒色粒子（第２粒子）Ｂを分散媒７に分散させたものである。
分散媒７としては、比較的高い絶縁性を有するものが好適に使用される。かかる分散媒７としては、例えば、各種水（例えば、蒸留水、純水等）、メタノール等のアルコール類、メチルセロソルブ等のセロソルブ類、酢酸メチル等のエステル類、アセトン等のケトン類、ペンタン等の脂肪族炭化水素類（流動パラフィン）、シクロヘキサン等の脂環式炭化水素類、ベンゼン等の芳香族炭化水素類、塩化メチレン等のハロゲン化炭化水素類、ピリジン等の芳香族複素環類、アセトニトリル等のニトリル類、Ｎ，Ｎ−ジメチルホルムアミド等のアミド類、カルボン酸塩、シリコーンオイルまたはその他の各種油類等が挙げられ、これらを単独または混合物として用いることができる。
【００２５】
中でも、分散媒７としては、脂肪族炭化水素類（流動パラフィン）、またはシリコーンオイルを主成分とするものが好ましい。流動パラフィン、またはシリコーンオイルを主成分とする分散媒７は、白色粒子Ａおよび黒色粒子Ｂの凝集抑制効果が高いことから好ましい。これにより、表示装置２０の表示性能が経時的に劣化するのをより確実に防止または抑制することができる。また、流動パラフィン、またはシリコーンオイルは、不飽和結合を有しないため耐候性に優れ、および安全性も高いという点からも好ましい。
【００２６】
また、分散媒７中には、必要に応じて、例えば電解質、アルケニルコハク酸エステルのような界面活性剤（アニオン性またはカチオン性）、金属石鹸、樹脂材料、ゴム材料、油類、ワニス、コンパウンド等の粒子からなる荷電制御剤、シラン系カップリング剤等の分散剤、潤滑剤、安定化剤等の各種添加剤を添加するようにしてもよい。また、分散媒７を着色する場合には、分散媒７に必要に応じてアントラキノン系染料、アゾ系染料、インジゴイド系染料等の各種染料を溶解するようにしてもよい。
【００２７】
白色粒子Ａおよび黒色粒子Ｂは、それぞれ、荷電を有し、電界が作用することにより分散媒７中を電気泳動し得る粒子である。白色粒子Ａおよび黒色粒子Ｂは、それぞれ、荷電を有するものであればいかなるものをも用いることができ、特に限定はされないが、顔料粒子、樹脂粒子またはこれらの複合粒子のうちの少なくとも１種が好適に使用される。これらの粒子は、製造が容易であるとともに、荷電の制御を比較的容易に行うことができるという利点を有している。
【００２８】
顔料粒子を構成する顔料としては、例えば、アニリンブラック、カーボンブラック、チタンブラック、亜クロム酸銅等の黒色顔料、酸化チタン、酸化アンチモン等の白色顔料、モノアゾ等のアゾ系顔料、イソインドリノン、黄鉛等の黄色顔料、キナクリドンレッド、クロムバーミリオン等の赤色顔料、フタロシアニンブルー、インダスレンブルー等の青色顔料、フタロシアニングリーン等の緑色顔料等が挙げられ、これらのうち１種または２種以上を組み合わせて用いることができる。
【００２９】
また、樹脂粒子を構成する樹脂材料としては、例えば、アクリル系樹脂、ウレタン系樹脂、尿素系樹脂、エポキシ系樹脂、ポリスチレン、ポリエステル等が挙げられ、これらのうちの１種または２種以上を組み合わせて用いることができる。
また、複合粒子としては、例えば、顔料粒子の表面を樹脂材料や他の顔料で被覆したもの、樹脂粒子の表面を顔料で被覆したもの、顔料と樹脂材料とを適当な組成比で混合した混合物で構成される粒子等が挙げられる。
【００３０】
顔料粒子の表面を他の顔料で被覆した粒子としては、例えば、酸化チタン粒子の表面を、酸化珪素や酸化アルミニウムで被覆したものを例示することができ、かかる粒子は、白色粒子Ａとして好適に用いられる。また、カーボンブラック粒子またはその表面を被覆した粒子は、黒色粒子Ｂとして好適に用いられる。
また、白色粒子Ａおよび黒色粒子Ｂの形状は、それぞれ、特に限定されないが、球形状であるのが好ましい。また、白色粒子Ａおよび黒色粒子Ｂの平均粒子径は、それぞれ、特に限定されるものではないが、好ましくは１０ｎｍ以上５００ｎｍ以下、より好ましくは２０ｎｍ以上３００ｎｍ以下である。白色粒子Ａおよび黒色粒子Ｂの平均粒子径が１０ｎｍ未満であると充分な色度が得られず、コントラストが低下して表示が不鮮明になることがある。逆に、白色粒子Ａおよび黒色粒子Ｂの平均粒子径が３００ｎｍを超えると粒子自体の着色度を必要以上に高くする必要があり、顔料などの使用量が増大することや、表示のために電圧を印加した部分で粒子の速やかな移動が困難となり、その応答速度が低下することがある。
【００３１】
なお、白色粒子Ａおよび黒色粒子Ｂの平均粒子径は、動的光散乱式粒度分布測定装置（例えば、製品名：ＬＢ−５００、（株）堀場製作所製）で測定した体積平均粒子径を意味する。
本実施形態では、白色粒子Ａおよび黒色粒子Ｂの平均粒子径は、互いにほぼ等しく設定されている。
【００３２】
次いで、隔壁部材６について説明するが、それに先立って、隔壁部材６を省略した場合に起きる問題点について説明する。
電極３、４の間に所定の電圧を印加すると、図２に示すように、白色粒子Ａを表示層４００の第２の電極４（基板１２）側に集め、黒色粒子Ｂを表示層４００の第１の電極３（対向基板１１）側に集めることができる。これにより、表示面１２１全域に白色が表示された状態となる。
【００３３】
ここで、表示装置２０は、手に持って本のようにして立てた状態で視認される場合を想定している。そこで、図３に示すように、表示装置２０を本のように立てて保持した場合、白色粒子Ａのうち第２の電極４と接触している粒子や第２の電極４の近傍に位置する粒子は、第２の電極４との吸着力によってその位置が維持されるが、第２の電極４から比較的離間している粒子は、第２の電極４との間に吸着力が働かないため、自重により鉛直方向へ下側へ移動（沈降）する。黒色粒子Ｂについても同様である。
【００３４】
このような現象が起こると、表示層４００内にて白色粒子Ａおよび黒色粒子Ｂの偏りが生じ、表示面１２１に表示される画像は、ムラのある画像となる。また、白色粒子Ａの移動（沈降）によって白色粒子Ａの数が減少した画素では、高い反射率を得ることができなくなるため、コントラストが低下する。
このように、隔壁部材６のない従来型では、優れた表示特性を発揮することができない。
【００３５】
また、一端、白色粒子Ａおよび黒色粒子Ｂの沈降が生じると、再び、表示層中４００に白色粒子Ａおよび黒色粒子Ｂを均一に分散させるのは困難であり、例えば、表示を一旦リセットする必要等がある。そのため、リセットができない場合には表示特性が悪化したまま表示が続けられたり、表示特性を回復するためにリセットする場合には、一端表示が中止されたりし、表示装置２０の利便性が悪化する。
隔壁部材６は、このような問題を解消、すなわち、白色粒子Ａおよび黒色粒子Ｂの鉛直方向下側への移動（沈降）を防止または抑制することにより、表示装置２０に優れた表示特性を発揮させる。
【００３６】
以下、隔壁部材６について詳細に説明する。
図１に示すように、隔壁部材６は、表示層４００内に設けられており、分散液１００中に浮遊している。すなわち、隔壁部材６は、基板１１、１２に対して固定されない状態で表示層４００中に存在している。
隔壁部材６は、表示装置２０の平面視にて、表示層４００を複数の領域に分割する機能を有している。図４に示すように、隔壁部材６は、表示装置２０の平面視にて、紙面縦方向（第１方向）に延在すると共に紙面横方向（第２方向）に離間して配置された複数の第１壁部６１と、紙面横方向に延在すると共に紙面縦方向に離間して配置され、各第１壁部６１と交差する複数の第２壁部６２とを有している。隔壁部材６は、隣り合う一対の第１壁部６１と隣り合う一対の第２壁部６２とで囲まれた領域Ｓをマトリックス状に複数形成している。
【００３７】
隔壁部材６は、各領域Ｓが１つの画素Ｐｉｘと対応するように構成されている。すなわち、隔壁部材６は、表示装置２０の平面視にて、１つの領域Ｓ内に、１つの第１の電極３が配置されるように構成されている。これにより、隔壁部材６によって１つの画素を隣り合う画素とある程度仕切ることができ、各画素中に存在する白色粒子Ａおよび黒色粒子Ｂの数をある程度維持することができる。そのため、表示装置２０は、各画素でほぼ同じ反射率の白色または黒色を表示することができ、その結果、優れた表示特性を発揮することができる。
【００３８】
隣り合う一対の第１壁部６１の離間距離は、特に限定されず、第１の電極３の大きさや形状によっても異なるが、１μｍ以上、１ｃｍ以下程度であるのが好ましく、５μｍ以上、５ｍｍ以下程度であるのがより好ましい。隣り合う一対の第２壁部６２の離間距離もこれと同様であるのが好ましい。このような数値範囲とすることにより、より効果的に表示装置２０を立てたときの白色粒子Ａおよび黒色粒子Ｂの沈降を防止または抑制することができる。
【００３９】
隔壁部材６の高さ（表示層４００の厚さ方向における長さ）は、表示層４００の厚さよりも小さくなるように設定されている。具体的には、隔壁部材６の高さをＨとし、白色粒子Ａ（黒色粒子Ｂ）の平均粒子径をＲとしたとき、表示層４００の高さ（基板１２と対向基板１１との離間距離）は、（Ｈ＋Ｒ）以上の数値範囲を満足している。
言い換えれば、表示装置２０では、隔壁部材６が基板１２側から離れたときに、隔壁部材６と基板１２との間に、Ｒ以上の隙間を形成することができるように表示層４００の厚さまたは隔壁部材６の高さが設定されている。
【００４０】
表示層４００の高さの上限としては、特に限定されないが、１０Ｒ以下であるのが好ましく、５Ｒ以下であるのがより好ましい。これにより、より効果的に、白色粒子Ａおよび黒色粒子Ｂの沈降を防止または抑制することができる。
隔壁部材６が基板１１に対して、このような距離だけ離間できることにより、次のような効果を発揮することができる。第１に、表示装置２０を立てたときの白色粒子Ａおよび黒色粒子Ｂの沈降を防止または抑制することができ、優れた表示特性を発揮することができる。第２に、基板１２と隔壁部材６との間に白色粒子Ａまたは黒色粒子Ｂが入り込むことができるため、表示面１２１の実質的に全域を有効表示領域とすることができ、優れた表示特性を発揮することができる。第３に、基板１２と隔壁部材６との間に入り込んだ粒子によって、隔壁部材６が覆い隠され、表示面１２１から隔壁部材６が視認されなくなるため、隔壁部材６が表示に悪影響を与えるのを防止でき、優れた表示特性を発揮することができる。なお、このような効果については、後に詳細に説明する。
【００４１】
また、隔壁部材６の比重は、分散媒７の比重とほぼ等しくなるように設定されているのが好ましい。これにより、隔壁部材６を分散液１００中で浮遊した状態（基板１２および対向基板１１のいずれにも接触していない状態）とすることができ、隔壁部材６と基板１２との間に粒子が入り込み易くなる。
また、隔壁部材６は、実質的に無色透明であってもよいし、着色されていてもよい。着色されている場合には、その色としては、特に限定されないが、白色であるのが好ましい。
【００４２】
また、隔壁部材６は、比較的高い絶縁性を有している。これによりリーク電流の発生を抑えることができ、表示装置２０の駆動の省電力化を図ることができる。また、隔壁部材６は、可撓性を有しているのが好ましい。これにより、表示装置２０を変形させたときに、隔壁部材６もそれに応じて変形するため、表示装置２０の破損等を効果的に防止または抑制することができる。
また、隔壁部材６は、無帯電である。
【００４３】
隔壁部材６の構成材料としては、特に限定されず、例えば、ポリエチレン、ポリプロピレン、エチレン−酢酸ビニル共重合体等のポリオレフィン、変性ポリオレフィン、ポリアミド（例：ナイロン６、ナイロン６６）、スチレン系、ポリ塩化ビニル系、ポリウレタン系、ポリエステル系、フッ素ゴム系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
【００４４】
２．表示装置の駆動方法
このような表示装置２０は、次のようにして駆動する。
電極３、４の間に電圧を印加すると、これらの間に電界が生じる。この電界に従って白色粒子Ａおよび黒色粒子Ｂは、それぞれ、電極３、４のいずれかに向かって移動（電気泳動）する。以下では、白色粒子Ａとして正荷電を有するものを用い、黒色粒子Ｂとして負荷電のものを用いた場合について代表して説明する。また、以下では、説明の便宜上、１つの画素について代表して説明する。
【００４５】
−白色表示状態−
第１の電極３と第２の電極４との間に、第１の電極３が正電位、第２の電極４が負電位となる電圧を印加すると、当該電圧印加により発生した電界が表示層４００中の白色粒子Ａおよび黒色粒子Ｂに作用する。すると、図５（Ａ）に示すように、白色粒子Ａは、第２の電極４側に泳動して第２の電極４に集り、黒色粒子Ｂは、第１の電極３側に泳動して第１の電極３に集まる。これにより、表示面１２１に白色が表示される白色表示状態となる。
【００４６】
このとき、表示面１２１側に泳動した白色粒子Ａが隔壁部材６と第２の電極４との間に入り込むため、表示面１２１側から見たときに、白色粒子Ａによって隔壁部材６が覆い隠される。特に、本実施形態では、隔壁部材６が分散液１００中に浮遊しているため、白色粒子Ａが隔壁部材６と第２の電極４との間に入り込むことにより、隔壁部材６が対向基板１１側に沈み込むため、上記効果がより顕著なものとなる。
【００４７】
このように、表示装置２０では、表示面１２１のほぼ全面を有効表示領域として利用することができ、優れた表示特性を発揮することができる。さらに、表示面１２１から隔壁部材６が視認されないため、隔壁部材６が表示画像に悪影響を及ぼすことがなく、この点からも優れた表示特性を発揮することができる。なお、電界は、第１の電極３から第２の電極４へ広がるようにして作用し、画素の縁部では傾斜した方向に作用する。そのため、白色粒子Ａは、隔壁部材６と第１の電極３との間に容易に入り込む。白色粒子Ａは、電解の印加で電極３方向へ移動し、電界の解除で白色粒子Ａどうしが反発しあい分散することで、白色粒子Ａが隔壁部材６と第１の電極３との間に入り込む。
【００４８】
さらに、この状態で表示装置２０を立てた場合、白色粒子Ａのうち第２の電極４と接触している粒子および第２の電極４の近傍に位置している粒子については、第２の電極４との吸着力によってその位置を維持することができる。さらに、これら粒子は、分散媒７中にて不規則かつ微少に運動（ブラウン運動）しているため、巨視的に見て、その位置を維持することができる。
【００４９】
一方、白色粒子Ａのうち第２の電極４から比較的離間している粒子は、前述のような吸着力が働かず（または僅かにしか働かず）自重により鉛直方向下側へ移動（沈降）しようとするが、図５（Ｂ）に示すように、隔壁部材６によってこの移動が防止または抑制される。
このような表示装置２０によれば、各画素において、白色表示に用いられる白色粒子Ａの数の増減を防止または抑制することができるため、高い反射率を有する白色表示状態を維持することができ、高いコントラストを発揮することができる。また、表示層４００中での粒子の偏りを効果的に防止または抑制することができるため、表示面１２１に、ムラのない鮮明な画像を表示することができる。
【００５０】
−黒色表示状態−
第１の電極３と第２の電極４との間に、第１の電極３が正電位、第２の電極４が負電位となる電圧を印加すると、当該電圧印加により発生した電界が表示層４００中の白色粒子Ａおよび黒色粒子Ｂに作用する。すると、図６（Ａ）に示すように、白色粒子Ａは、第１の電極３側に泳動して第１の電極３に集り、黒色粒子Ｂは、第２の電極４側に泳動して第２の電極４に集まる。これにより、表示面１２１に黒色が表示される黒色表示状態となる。
【００５１】
このとき、表示面１２１側に泳動した黒色粒子Ｂが隔壁部材６と第２の電極４との間に入り込むため、表示面１２１側から見たときに、黒色粒子Ｂによって隔壁部材６が覆い隠される。特に、本実施形態では、隔壁部材６が分散液１００中に浮遊しているため、黒色粒子Ｂが隔壁部材６と第２の電極４との間に入り込むことにより、隔壁部材６が対向基板１１側に沈み込むため、上記効果がより顕著なものとなる。
【００５２】
このように、表示装置２０では、表示面１２１のほぼ全域を有効表示領域として利用することができ、優れた表示特性を発揮することができる。また、表示面１２１から隔壁部材６が視認されないため、隔壁部材６が表示画像に悪影響を及ぼすことがなく、この点からも優れた表示特性を発揮することができる。
さらに、この状態で表示装置２０を立てた場合、黒色粒子Ｂのうち第２の電極４と接触している粒子および第２の電極４の近傍に位置している粒子については、第２の電極４との吸着力によってその位置を維持する。さらに、これら粒子は、分散媒７中にて不規則かつ微少に運動（ブラウン運動）しているため、巨視的に見て、その位置を維持することができる。
【００５３】
一方、黒色粒子Ｂのうち第２の電極４から比較的離間している粒子は、第２の電極４との間に吸着力が働かず自重により鉛直方向下側へ移動（沈降）しようとするが、図６（Ｂ）に示すように、隔壁部材６によってこの沈降が防止または抑制される。
このような表示装置２０によれば、各画素において、黒色表示に用いられる黒色粒子Ｂの数の増減を防止または抑制することができるため、低い反射率を有する黒色表示状態を維持することができ、高いコントラストを発揮することができる。さらに、表示面１２１に、ムラのない鮮明な画像を表示することができる。
【００５４】
このような表示装置２０では、画素毎に、白色表示状態か黒色表示状態を選択することにより、すなわち、白色表示状態の画素と黒色表示状態の画素とを組み合わせることにより、表示面１２１に所望の画像を表示することができる。
特に、本実施形態では、白色粒子Ａおよび黒色粒子Ｂの平均粒子径が等しいため、白色表示状態の画素と黒色表示状態の画素とで同じ上記効果を発揮することができる。そのため、表示装置２０の表示特性がより向上する。
【００５５】
また、本実施形態では、隔壁部材６が分散液１００中に浮遊しているため、隔壁部材６と基板１２との間のみならず、隔壁部材６と対向基板１１との間にも隙間（空隙）を形成することができる。このように、隔壁部材６と基板１２との間および隔壁部材６と対向基板１１との間にそれぞれ隙間を形成することにより、次のような効果を発揮することができる。
【００５６】
また、表示装置２０を立てた状態が長期間続いたり、表示装置２０に強い衝撃や振動が加わったりした場合には、表示層４００内にて白色粒子Ａおよび黒色粒子Ｂが偏ってしまう場合がある。その場合には、表示層４００中にて白色粒子Ａおよび黒色粒子Ｂが均一に分散した状態とするためにリフレッシュ電圧を印加し、白色粒子Ａおよび黒色粒子Ｂを横方向（表示層４００の厚さ方向に直交する方向）に移動させる必要がある。なお、リフレッシュ電圧としては、例えば、所定の第１の電極３に正電圧を印加し、残りの第１の電極３に負電圧を印加した状態と、これと反対の状態とを交互に繰り返すような電圧が挙げられる。
隔壁部材６と基板１２との間のみならず、隔壁部材６と対向基板１１との間にも隙間が形成されていると、前述のような白色粒子Ａおよび黒色粒子Ｂの横方向への移動をよりスムーズに行うことができる。
【００５７】
＜第２実施形態＞
図７は、本発明の表示装置の第２実施形態を示す部分拡大断面図である。
以下、第２実施形態について、前述した実施形態との相違点を中心に説明し、同様の事項については、その説明を省略する。
本発明の第２実施形態にかかる表示装置は、隔壁部材が対向基板に固定されていること以外は、第１実施形態の表示装置と同様である。なお、前述した第１実施形態と同様の構成には、同一符号を付してある。
【００５８】
図７に示す表示装置２０Ａでは、隔壁部材６が対向基板１１に固定されている。すなわち、隔壁部材６は、表示層４００に対して固定的に設けられている。これにより、隔壁部材６が基板１２から所定距離離間した状態を維持することができる。そのため、表示装置２０は、より確実に、第１実施形態で述べた効果を発揮することができる。
特に、隔壁部材６を対向基板１１に固定することにより、隔壁部材６と対向基板とが接触した状態となるため、白色粒子Ａおよび黒色粒子Ａの前述したような沈降をより効果的に防止または抑制することができる。具体的には、所定の画素について、白色表示状態のときの黒色粒子Ｂは、対向基板１１（第１の電極３）側に集まっているが、隔壁部材６と対向基板１１との間に隙間がないため、表示装置２０を立てても黒色粒子Ｂは、鉛直方向下側へ移動できない。黒色表示状態のときの白色粒子Ａについても同様である。このように、隔壁部材６を対向基板１１に固定することにより、表示装置２０を立てた場合の対向基板１１側での粒子の沈降を効果的に防止することができる。
なお、隔壁部材６の対向基板１１への固定方法としては、特に限定されないが、例えば接着剤を用いて固定することができる。また、本実施形態では、隔壁部材６を対向基板１１に固定した場合について説明したが、隔壁部材６が表示層４００に対して固定的であれば、これに限定されず、例えば、隔壁部材６を封止部９に固定してもよい。
【００５９】
＜第３実施形態＞
図８は、本発明の表示装置の第３実施形態を示す部分拡大断面図である。
以下、第３実施形態について、前述した実施形態との相違点を中心に説明し、同様の事項については、その説明を省略する。
本発明の第３実施形態にかかる表示装置は、隔壁部材の構成が異なること以外は、第１実施形態の表示装置と同様である。なお、前述した第１実施形態と同様の構成には、同一符号を付してある。
【００６０】
図８に示す表示装置２０Ａでは、隔壁部材６の各第１壁部６１が、その厚さＷが対向基板１１側から基板１２側に向けて漸減するテーパ状をなしている。第１壁部６１と交差する各第２壁部６２についても同様にテーパ状をなしている。すなわち、表示装置２０Ａでは、各画素の横断面積が、対向基板１１側から基板１２側に向けて漸増している。隔壁部材６をこのような形状とすれば、図８中の矢印で示すように、白色粒子Ａまたは黒色粒子Ｂが第１壁部６１または第２壁部６２の壁面に沿うように移動することにより、隔壁部材６と基板１２との間により入り込み易くなる。そのため、表示装置２０Ｂの表示特性がより向上する。
【００６１】
＜第４実施形態＞
図９は、本発明の表示装置の第４実施形態を示す部分拡大断面図である。
以下、第４実施形態について、前述した実施形態との相違点を中心に説明し、同様の事項については、その説明を省略する。
本発明の第４実施形態にかかる表示装置は、基板と隔壁部材との間にスペーサーを設けたこと以外は、第１実施形態の表示装置と同様である。なお、前述した第１実施形態と同様の構成には、同一符号を付してある。
【００６２】
図９に示す表示装置２０Ｃでは、隔壁部材６と基板１２との間にスペーサー５が設けられている。このスペーサー５は、分散液１００中に浮遊する隔壁部材６が、基板１２に近づき過ぎるのを防止する機能、すなわち、隔壁部材６と基板１２とが離間した状態を維持する機能を有している。これにより、隔壁部材６と基板１２との間に、より確実に、白色粒子Ａまたは黒色粒子Ｂを入り込ませることができる。
スペーサー５の高さは、白色粒子Ａおよび黒色粒子Ｂの平均粒子径をＲとしたとき、１Ｒ以上５Ｒ以下とするのが好ましい。これにより、基板１２と隔壁部材６との間に、より確実に、本発明の効果を発揮することのできる隙間を形成することができる。
【００６３】
本実施形態では、スペーサー５は、隔壁部材６と一体的に形成されている。具体的には、スペーサー５は、第１壁部６１および第２壁部６２の一部を基板１２側へ延長することにより形成されている。これにより、スペーサー５の構成が簡単となる。スペーサー５は、なるべく細い（横断面積が小さい）柱状であるのが好ましい。これにより、スペーサー５を目立たなくすることができる。また、スペーサー５の数は、その機能を発揮できれば少ない方が良く、例えば、表示面１２１の１ｃｍ２あたりに１本程度の割合で配置されているのが好ましい。
【００６４】
＜第５実施形態＞
図１０は、本発明の表示装置の第５実施形態を示す部分拡大断面図、図１１は、図１０に示す表示装置の平面図である。
以下、第５実施形態について、前述した実施形態との相違点を中心に説明し、同様の事項については、その説明を省略する。
【００６５】
本発明の第５実施形態にかかる表示装置は、隔壁部材の構成が異なること以外は、第１実施形態の表示装置と同様である。なお、前述した第１実施形態と同様の構成には、同一符号を付してある。
図１０に示す表示装置２０Ｄの隔壁部材６は、第１隔壁部材６ａと、第２隔壁部材６ｂとを有している。第１隔壁部材６ａと第２隔壁部材６ｂは、表示層４００の厚さ方向に重なるようにして設けられており、第１隔壁部材６ａが対向基板１１側に位置し、第２隔壁部材６ｂが基板１２側に位置している。また、第１隔壁部材６ａおよび第２隔壁部材６ｂは、それぞれ、分散液１００中に浮遊している。
【００６６】
なお、第１隔壁部材６ａと第２隔壁部材６ｂとは、互いに接合（固定）されていてもよいし、固定されていなくてもよい。固定されている場合には、第１隔壁部材６ａと第２隔壁部材６ｂとを一体的に形成してもよい。
図１１に示すように、第１隔壁部材６ａは、紙面縦方向（第１方向）に延在すると共に紙面横方向（第２方向）に離間して配置された複数の第１壁部６１ａと、紙面横方向に延在すると共に紙面縦方向に離間して配置され、各第１壁部６１ａと交差する複数の第２壁部６２ａとを有している。そして、第１隔壁部材６ａは、隣り合う一対の第１壁部６１ａと隣り合う一対の第２壁部６２ａとで囲まれた領域Ｓ１をマトリックス状に多数形成している。
【００６７】
このような第１隔壁部材６ａは、各領域Ｓ１が１つの画素Ｐｉｘと対応するように、すなわち、表示装置２０Ｄの平面視にて、１つの領域Ｓ１内に１つの第１の電極３が配置されるように構成されている。
一方、第２隔壁部材６ｂは、紙面縦方向（第１方向）に延在すると共に紙面横方向（第２方向）に離間して配置された複数の第１壁部６１ｂと、紙面横方向に延在すると共に紙面縦方向に離間して配置され、各第１壁部６１ｂと交差する複数の第２壁部６２ｂとを有している。そして、第２隔壁部材６ｂは、隣り合う一対の第１壁部６１ｂと隣り合う一対の第２壁部６２ｂとで囲まれた領域Ｓ２をマトリックス状に多数形成している。
【００６８】
このような第２隔壁部材６ｂは、表示装置２０Ｄの平面視にて、１つの領域Ｓ１内に複数の領域Ｓ２が含まれるように構成されている。すなわち、第２隔壁部材６ｂは、領域Ｓ２の横断面積が領域Ｓ１の横断面積よりも小さくなるように構成されている。本実施形態では、１つの領域Ｓ１に４つの領域Ｓ２が含まれているが、１つの領域Ｓ１内に含まれる領域Ｓ２の数は、特に限定されない。
【００６９】
隔壁部材６をこのような構成とすることで、粒子（白色粒子Ａ、黒色粒子Ｂ）の泳動を阻害せずに、表示装置２０Ｄを立てたときの粒子の沈降をより効果的に防止または抑制することができる。具体的に説明すれば、第１隔壁部材６ａで形成された領域Ｓ１（領域Ｓ１の横断面積）は、比較的広いため、この領域Ｓ１内では粒子がスムーズに泳動することができる。一方、第２隔壁部材６ｂで形成された領域Ｓ２（領域Ｓ２の横断面積）は、領域Ｓ２に対して狭くなっているため、表示装置２０を立てたときの表示面１２１（第２の電極４）側に集まっている粒子の鉛直方向下側への移動をより効果的に防止または抑制することができる。そのため、このような隔壁部材６を有する表示装置２０Ｄは、より優れた表示特性を発揮することができる。
【００７０】
なお、第１隔壁部材６ａの高さをＨ６ａとし、第２隔壁部材６ｂの高さをＨ６ｂとしたとき、Ｈ６ｂは、０．１Ｈ６ａ以上、０．５Ｈ６ａ以下程度であるのが好ましい。これにより、粒子がスムーズに移動できる領域Ｓ１を広く確保することができるため、前述した効果がより顕著なものとなる。また、第２隔壁部材６ｂの高さをＨ６ｂは、特に限定されないが、例えば２０ｎｍ以上、１０００ｎｍ以下程度であるのが好ましい。
【００７１】
＜第６実施形態＞
図１２は、本発明の表示装置の第６実施形態を示す概略斜視図、図１３は、図１２に示す表示シートの断面図である。
以下、第５実施形態について、前述した実施形態との相違点を中心に説明し、同様の事項については、その説明を省略する。
【００７２】
本願発明の第６実施形態にかかる表示装置は、表示シートが別体として構成されている以外は、前記第１実施形態と同様である。
図１２に示すように、本実施形態の表示装置２０Ｅは、表示シート２１Ｅと、書き込み装置２２Ｅとを有している。
表示シート２１Ｅは、図１３に示すように、基板（第１基板）１２Ｅと、基板１２Ｅと対向配置された基板（第２基板）１１Ｅと、基板１２Ｅ、１１Ｅの間に設けられた表示層４００と、表示層４００内に設けられた隔壁部材６と、表示層４００を封止する封止部９とを有している。基板１２Ｅ、１１Ｅは、それぞれ、前述した第１実施形態の基板１２の基部２と同様の構成であるため、その説明は省略する。
【００７３】
書き込み装置２２Ｅは、表示シート２１Ｅに所望の画像（模様、色彩、文字、絵またはこれらの組み合わせ等）を書き込む際に使用する装置である。図１２に示すように、書き込み装置２２Ｅは、台座２２１Ｅと、台座２２１Ｅ上に設けられたシート状の共通電極２２２Ｅと、先端に部分電極２２３Ｅが設けられた書き込みペン（入力具）２２４Ｅと、共通電極２２２Ｅおよび部分電極２２３Ｅ間に電圧を印加する電圧印加手段２２５Ｅとを有している。
このような表示装置２０Ｅは、例えば、次のように使用する。
【００７４】
まず、表示面１２１の全域が白色表示状態である表示シート２１Ｅを、表示面１２１を上側にして書き込み装置２２Ｅの共通電極２２２Ｅ上に載置する。次いで、電圧印加手段２２５Ｅによって共通電極２２２Ｅおよび部分電極２２３Ｅ間に、部分電極２２３Ｅ側が低電位となる電圧を印加する。この状態で、書き込みペン２２４Ｅを表示面１２１に接触させつつ所望の軌跡で移動させることにより、その軌跡に対応する領域にて粒子の泳動が生じ、表示色が白色から黒色に変化する。
このような生じ装置２０Ｅによれば、紙に鉛筆で文字等を描くのと同様の感覚で、表示シート２１Ｅの表示面１２１に所望の文字等を描くことができる。そのため、表示装置２０Ｅの操作性（操作感覚）が向上する。
【００７５】
以上説明したような表示装置２０は、それぞれ、各種電子機器に組み込むことができる。電気泳動表示装置を備える本発明の電子機器としては、例えば、電子ペーパー、電子ブック、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等を挙げることができる。
【００７６】
これらの電子機器のうちから、電子ペーパーを例に挙げ、具体的に説明する。
図１４は、本発明の電子機器を電子ペーパーに適用した場合の実施形態を示す斜視図である。
図１４に示す電子ペーパー６００は、紙と同様の質感および柔軟性を有するリライタブルシートで構成される本体６０１と、表示ユニット６０２とを備えている。このような電子ペーパー６００では、表示ユニット６０２が、前述したような表示装置２０で構成されている。
【００７７】
次に、本発明の電子機器をディスプレイに適用した場合の実施形態について説明する。
図１５は、本発明の電子機器をディスプレイに適用した場合の実施形態を示す図である。このうち、図１５中（ａ）は断面図、（ｂ）は平面図である。
図１５に示すディスプレイ（表示装置）８００は、本体部８０１と、この本体部８０１に対して着脱自在に設けられた電子ペーパー６００とを備えている。なお、この電子ペーパー６００は、前述したような構成、すなわち、図１４に示す構成と同様である。
【００７８】
本体部８０１は、その側部（図１５（ａ）中、右側）に電子ペーパー６００を挿入可能な挿入口８０５が形成され、また、内部に二組の搬送ローラ対８０２ａ、８０２ｂが設けられている。電子ペーパー６００を、挿入口８０５を介して本体部８０１内に挿入すると、電子ペーパー６００は、搬送ローラ対８０２ａ、８０２ｂにより挟持された状態で本体部８０１に設置される。
【００７９】
また、本体部８０１の表示面側（図１５（ｂ）中、紙面手前側）には、矩形状の孔部８０３が形成され、この孔部８０３には、透明ガラス板８０４が嵌め込まれている。これにより、本体部８０１の外部から、本体部８０１に設置された状態の電子ペーパー６００を視認することができる。すなわち、このディスプレイ８００では、本体部８０１に設置された状態の電子ペーパー６００を、透明ガラス板８０４において視認させることで表示面を構成している。
【００８０】
また、電子ペーパー６００の挿入方向先端部（図１５（ａ）中、左側）には、端子部８０６が設けられており、本体部８０１の内部には、電子ペーパー６００を本体部８０１に設置した状態で端子部８０６が接続されるソケット８０７が設けられている。このソケット８０７には、コントローラー８０８と操作部８０９とが電気的に接続されている。
このようなディスプレイ８００では、電子ペーパー６００は、本体部８０１に着脱自在に設置されており、本体部８０１から取り外した状態で携帯して使用することもできる。これにより、利便性が向上する。
以上、本発明の表示シート、表示装置および電子機器を、図示の実施形態に基づいて説明したが、本発明はこれに限定されるものではなく、各部の構成は、同様の機能を有する任意の構成のものに置換することができる。また、本発明に、他の任意の構成物が付加されていてもよい。また、各実施形態を適宜組み合わせてもよい。
【００８１】
また、前述した実施形態では、白色粒子Ａおよび黒色粒子Ｂを互いに反対の極に帯電した帯電粒子としているが、これに限定されず、例えば、白色粒子Ａおよび黒色粒子Ｂの一方を正または負に帯電する帯電粒子とし、他方を実質的に帯電していない無帯電粒子としてもよい。この場合、隔壁部材６の高さをＨとし、白色粒子Ａおよび黒色粒子Ｂのうち帯電している方の粒子の平均粒子径をＲとしたとき、表示層４００の高さ（基板１２と対向基板１１との離間距離）が（Ｈ＋Ｒ）以上、（Ｈ＋１０Ｒ）以下の数値範囲を満足していればよい。これは、無帯電粒子は、電界の有無や表示装置の姿勢によらず、分散媒中に分散した状態を維持されるため、前述したような粒子の沈降が生じ難い。そのため、帯電粒子の沈降を防止すれば足りるためである。
【００８２】
また、無帯電粒子の平均粒子径は、隔壁部材６と基板１２との間の隙間（生じ得る隙間の最大値）よりも大きいことが好ましい。これにより、無帯電粒子の画素間の移動を確実に防止することができる。
また、この場合には、黒色粒子を帯電粒子とし、白色粒子を無帯電粒子とするのが好ましい。この場合、黒色粒子を第１の電極側に集めれば白色表示状態となり、第２の電極側に集めれば黒色表示状態となる。また、白色粒子を分散させることにより、表示面１２１からの光をより効率的に反射、拡散することができ、より反射率の高い白色を表示することができる。
【００８３】
また、前述した実施形態では、白色粒子および黒色粒子の平均粒子径が互いに等しいものについて説明したが、これに限定されず、互いの平均粒径が異なっていてもよい。この場合、隔壁部材６の高さをＨとし、白色粒子Ａおよび黒色粒子Ｂのうち平均粒径が小さい方の粒子の平均粒子径をＲとしたとき、表示層４００の高さ（基板１２と対向基板１１との離間距離）が（Ｈ＋Ｒ）以上、（Ｈ＋１０Ｒ）以下の数値範囲を満足していればよい。
【００８４】
また、前述した実施形態では、隔壁部材が格子状をなす構成について説明したが、隔壁部材６の構成は、表示シートを立てたときに、粒子の沈降を防止することができれば、これに限定されない。例えば、隔壁部材は、表示層を立てたときに、鉛直方向に直交する方向（水平方向）に延在する複数の壁部が、鉛直方向にそって複数並設された構成をなしていてもよい。
【実施例】
【００８５】
次に、本発明の具体的な実施例について説明する。しかしながら、本発明は、これらの実施例に限定されるものではない。
１．表示装置の製造
（実施例１）
＜１＞まず、白色粒子として酸化チタン粒子を、黒色粒子としてチタンブラック粒子をそれぞれ用意した。そして、これらの粒子をジメチルシリコーンオイル（分散媒）中に分散して、分散液を調製した。なお、酸化チタン粒子とチタンブラック粒子には、それぞれ、互いに逆極性に帯電するよう表面にグラフト修飾を施した。酸化チタン粒子およびチタンブラック粒子の平均粒子径は、共に５０ｎｍであった。
【００８６】
＜２＞また、ポリエチレンで構成されたシート部材を用意し、エッチングによってシート部材に多数の貫通孔を形成することにより、格子状の隔壁部材を得た。この隔壁部材の高さ（厚さ）は、５０μｍであった。
＜３＞次いで、ＩＴＯで構成される電極（第２の電極）が形成されたＰＥＴ−ＩＴＯ基板を用意した。次いで、ＰＥＴ−ＩＴＯ基板の縁部（外周部）にエポキシ系接着剤からなる封止部を形成した。
【００８７】
次いで、ＰＥＴ−ＩＴＯ基板と封止部とで形成された凹部に隔壁部材を配置し、その後、凹部内に分散液を供給して凹部を分散液で満たした。これにより表示層を得た。次いで、表示層上にＩＴＯよりなる個別電極が形成された回路基板を配置し、その後、ロールラミネータを用いて封止部と接合することにより表示装置を得た。
得られた表示装置の表示層の厚さは、５０．０５μｍであった。すなわち、得られた表示シートは、ＰＥＴ−ＩＴＯ基板と隔壁部材との間に５０ｎｍ（平均粒子径の１倍）の隙間を形成することのできるものであった。
【００８８】
（実施例２）
得られた表示シートの表示層の厚さが５０．１μｍであった以外は、実施例１と同様にして実施例２の表示装置を得た。すなわち、得られた表示シートは、ＰＥＴ−ＩＴＯ基板と隔壁部材との間に１５０ｎｍ（平均粒子径の３倍）の隙間を形成することのできるものであった。
【００８９】
（実施例３）
得られた表示シートの表示層の厚さが５０．１５μｍであった以外は、実施例１と同様にして実施例３の表示装置を得た。すなわち、得られた表示シートは、ＰＥＴ−ＩＴＯ基板と隔壁部材との間に２５０ｎｍ（平均粒子径の５倍）の隙間を形成することのできるものであった。
【００９０】
（実施例４）
得られた表示シートの表示層の厚さが５０．２μｍであった以外は、実施例１と同様にして実施例４の表示装置を得た。すなわち、得られた表示シートは、ＰＥＴ−ＩＴＯ基板と隔壁部材との間に３００ｎｍ（平均粒子径の６倍）の隙間を形成することのできるものであった。
【００９１】
（実施例５）
得られた表示シートの表示層の厚さが５０．２５μｍであった以外は、実施例１と同様にして実施例５の表示装置を得た。すなわち、得られた表示シートは、ＰＥＴ−ＩＴＯ基板と隔壁部材との間に４００ｎｍ（平均粒子径の８倍）の隙間を形成することのできるものであった。
【００９２】
（実施例６）
得られた表示シートの表示層の厚さが５０．２５μｍであった以外は、実施例１と同様にして実施例６の表示装置を得た。すなわち、得られた表示シートは、ＰＥＴ−ＩＴＯ基板と隔壁部材との間に５００ｎｍ（平均粒子径の１０倍）の隙間を形成することのできるものであった。
【００９３】
（実施例７）
得られた表示シートの表示層の厚さが５０．２５μｍであった以外は、実施例１と同様にして実施例７の表示装置を得た。すなわち、得られた表示シートは、ＰＥＴ−ＩＴＯ基板と隔壁部材との間に４５０ｎｍ（平均粒子径の１１倍）の隙間を形成することのできるものであった。
【００９４】
（比較例１）
隔壁部材を省略した以外は、実施例１と同様にして比較例１の表示装置を得た。
（比較例２）
得られた表示シートの表示層の厚さが５０μｍであった以外は、実施例１と同様にして比較例２の表示装置を得た。すなわち、得られた表示シートは、ＰＥＴ−ＩＴＯ基板と隔壁部材との間に隙間を形成することができないものであった。
【００９５】
（比較例３）
得られた表示シートの表示層の厚さが５０．０２μｍであった以外は、実施例１と同様にして比較例３の表示装置を得た。すなわち、すなわち、得られた表示シートは、ＰＥＴ−ＩＴＯ基板と隔壁部材との間に２０ｎｍ（平均粒子径の半分以下）の隙間を形成することのできるものであった。
【００９６】
２．評価
（２−１）隔壁部材が視認されるか否か
各実施例１〜７および各比較例１〜３について、それぞれ、表示面の全域を白色表示状態とした後、表示面から隔壁部材が視認されるか否かを、デジタルマイクロスコープ（製品名：ＶＨＸ−６００、（株）キーエンス社製）、レンズ（製品名：ＶＨ−Ｚ１００、（株）キーエンス社製）を用いて観察した。これらの測定結果を、以下の表１に示す。
【００９７】
【表１】
2012093385.tif 000003
【００９８】
表１に示すように、各実施例１〜７の表示装置では、いずれも白色粒子（酸化チタン粒子）がＰＥＴ−ＩＴＯ基板と隔壁部材との間に入り込むことで、白色粒子によって隔壁部材が覆い隠されていた。言い換えれば、表示面１２１のほぼ全域に白色粒子が存在していた。以上より、各実施例１〜３では、表示面の全域を有効表示領域として利用できること確認された。ｓ
【００９９】
これに対して、比較例２、３では、白色粒子（酸化チタン粒子）がＰＥＴ−ＩＴＯ基板と隔壁部材との間に入り込むことができず、白色粒子によって隔壁部材が覆い隠されることなく、隔壁部材を視認することができた。すなわち、比較例２、３では、表示面の全域を有効表示領域として利用できないことが確認された。なお、比較例１については、隔壁部材を省略していることから評価を省略した。
【０１００】
（２−２）反射率の測定
各実施例１〜７および各比較例１〜３について、それぞれ、表示面の全域を白色表示状態としたときの反射率を測定した。反射率の測定は、白色表示状態への切り替えが完了した３秒後に行った。なお、各表示装置の表示色の反射率は、基準となる白色（標準試料）の反射量を１００としたときの、表示装置の表示色の反射量の割合を示すものである。また、反射率の測定は、色彩輝度計（トプコン社製、「ＢＭ−５Ａ」）を用いて行った。
【０１０１】
また、各実施例１〜７および各比較例１〜３について、それぞれ、表示面の全域を黒色表示状態としたときの反射率を測定した。この測定は、白色表示状態の反射率の測定と同様にして行った。
以上のようにして得られた各実施例１〜７および各比較例１〜３における反射率を表２に示す。
【０１０２】
【表２】
2012093385.tif 000004
【０１０３】
表２に示すように、各実施例１〜７の表示装置で測定された白色の反射率は、いずれも、比較例１の表示装置で測定された反射率と比較して、遜色のないものであった。すなわち、実施例１〜７では、隔壁部材が白色表示に悪影響を及ぼすことが効果的に防止（抑制）されていることが確認された。
これに対して、比較例２、３の表示装置で測定された白色の反射率は、比較例１の表示装置で測定された反射率と比較して低く、隔壁部材が白色表示に悪影響を及ぼしていることが確認された。
【０１０４】
また、各実施例１〜７の表示装置で測定された黒色の反射率は、いずれも、比較例１の表示装置で測定された反射率と比較して、遜色のないものであった。すなわち、実施例１〜７では、隔壁部材が黒色表示に悪影響を及ぼすことが効果的に防止（抑制）されていることが確認された。
これに対して、比較例２、３の表示装置で測定された黒色の反射率は、比較例１の表示装置で測定された反射率と比較して高く、隔壁部材が黒色表示に悪影響を及ぼしていることが確認された。
【０１０５】
（２−３）反射率の測定
各実施例１〜７および各比較例１〜３について、それぞれ、表示面の全域を白色表示状態とし、電圧印加を停止した状態で、表示面が鉛直方向と平行となるように、表示装置を立てて１０分間放置したときの反射率を測定した。また、反射率の測定は、表示面内の鉛直方向上側の領域（すなわち粒子の沈降によって、粒子の数が減少するおそれのある領域）にて行った。
【０１０６】
また、各実施例１〜７および各比較例１〜３について、それぞれ、表示面の全域を黒色表示状態とし、電圧印加を停止した状態で、表示面が鉛直方向と平行となるように、表示装置を立てて１０分間放置したときの反射率を測定した。
なお、反射率の測定は、前述した（２−２）と同様にして行った。
以上のようにして得られた各実施例１〜７および各比較例１〜３における反射率を表３に示す。なお、表３中の（）内の数値は、表２で示す反射率との差を示している。
【０１０７】
【表３】
2012093385.tif 000005
【０１０８】
表３に示すように、各実施例１〜７の表示装置で測定された白色の反射率は、いずれも、前述した（２−２）で測定した反射率とほぼ同じであった。特に実施例１〜３の表示装置については、前述した（２−２）で測定した反射率と同じであった。これにより、隔壁部材によって白色粒子の鉛直方向下側への移動（沈降）が防止されていることが確認された。
これに対して、隔壁部材を省略した比較例１の表示装置で測定された白色の反射率は、前述した（２−２）で測定した反射率から著しく低下していた。これにより、隔壁部材のない表示装置では、白色粒子の沈降が発生していることが確認された。
【０１０９】
また、表３に示すように、各実施例１〜７の表示装置で測定された黒色の反射率は、いずれも、前述した（２−２）で測定した反射率とほぼ同じであった。これにより、隔壁部材によって黒色粒子の鉛直方向下側への移動（沈降）が防止されていることが確認された。
これに対して、隔壁部材を省略した比較例１の表示装置で測定された黒色の反射率は、前述した（２−２）で測定した反射率から著しく上昇していた。これにより、隔壁部材のない表示装置では、黒色粒子の沈降が発生していることが確認された。
【符号の説明】
【０１１０】
１‥‥基部  ２‥‥基部  ３‥‥第１の電極  ４‥‥第２の電極  ５‥‥スペーサー  ６‥‥隔壁部材  ６ａ‥‥第１隔壁部材  ６ｂ‥‥第２隔壁部材  ６１、６１ａ、６１ｂ‥‥第１壁部  ６２、６２ａ、６２ｂ‥‥第２壁部  ７‥‥分散媒  ９‥‥封止部  １００‥‥分散液  １１、１１Ｅ‥‥対向基板  １２、１２Ｅ‥‥基板  １２１‥‥表示面  ２０、２０Ａ、２０Ｂ、２０Ｃ、２０Ｄ、２０Ｅ‥‥表示装置  ２１、２１Ｅ‥‥表示シート  ２２‥‥回路基板  ２２Ｅ‥‥書き込み装置  ２２１Ｅ‥‥台座  ２２２Ｅ‥‥共通電極  ２２３Ｅ‥‥部分電極  ２２４Ｅ‥‥書き込みペン  ２２５Ｅ‥‥電圧印加手段  ４００‥‥表示層  ６００……電子ペーパー  ６０１……本体  ６０２……表示ユニット  ８００……ディスプレイ  ８０１……本体部  ８０２ａ、８０２ｂ……搬送ローラ対  ８０３……孔部  ８０４……透明ガラス板  ８０５……挿入口  ８０６……端子部  ８０７……ソケット  ８０８……コントローラー  ８０９……操作部  Ａ‥‥白色粒子  Ｂ‥‥黒色粒子  Ｓ、Ｓ１、Ｓ２‥‥領域  Ｗ‥‥厚さ
【図１】
2012093385.tif 000006
【図２】
2012093385.tif 000007
【図３】
2012093385.tif 000008
【図４】
2012093385.tif 000009
【図５】
2012093385.tif 000010
【図６】
2012093385.tif 000011
【図７】
2012093385.tif 000012
【図８】
2012093385.tif 000013
【図９】
2012093385.tif 000014
【図１０】
2012093385.tif 000015
【図１１】
2012093385.tif 000016
【図１２】
2012093385.tif 000017
【図１３】
2012093385.tif 000018
【図１４】
2012093385.tif 000019
【図１５】
2012093385.tif 000020